(57)【要約】【課題】  振動などの外部要因によって緩みが生じることなく、確実に締結状態を維持することができる締結部材、バンド取付構造、および腕時計を提供する。【解決手段】  パイプ１１と、このパイプ１１に挿入する第１軸部１２ａの外端部に第１頭部１２ｂを設け、第１軸部１２ａの内端部に係合突起部１２ｃを設け、この係合突起部１２ｃの外周面に係止凹部１４を設けた第１締結体１２と、パイプ１１に挿入する第２軸部１３ａの外端部に第２頭部１３ｂを設け、第２軸部１３ａの内端部にフック部１３ｃを設け、このフック部１３ｃの対向面に一対の凸部１６を設けた第２締結体１３と、を備えている。従って、第１締結体１２の係止凹部１４に、第２締結体１３の凸部１６を係合させることができるので、一定以上の荷重で第１締結体１２と第２締結体１３とを回転させない限り、係止凹部１４と凸部１６との係合が外れることがない。【選択図】        図３
2015058252.tif 000002
【特許請求の範囲】
【請求項１】
筒状部材と、
この筒状部材にその一端部から挿入する第１軸部の外端部に第１頭部が設けられ、前記第１軸部の内端部に係合突起部が設けられ、この係合突起部の外周面に一対の係止凹部が設けられた第１締結体と、
前記筒状部材にその他端部から挿入する第２軸部の外端部に第２頭部が設けられ、前記第２軸部の内端部に一対のフック部が設けられ、これら一対のフック部の対向面に前記係合突起部の前記一対の係止凹部に係脱可能に係合する一対の凸部が設けられた第２締結体と、
を備えていることを特徴とする締結部材。
【請求項２】
請求項１に記載された締結部材において、前記第１締結体の前記一対の係止凹部は、前記係合突起部の軸方向に対して交差する一対の傾斜面が対向し、これら一対の傾斜面間が前記係合突起部の円周方向に開放された状態で形成されており、
前記第２締結体の前記一対の凸部は、前記フック部の軸方向に対して交差する一対の傾斜面が立ち上がった状態で形成されていることを特徴とする締結部材。
【請求項３】
請求項１または請求項２に記載された締結部材において、前記第１締結体の前記一対の係止凹部は、前記第１軸部の内端部に接近して設けられ、前記係合突起部は、その先端部が前記第２締結体の前記第２軸部の内端部に接近した状態で、前記一対の凸部が前記一対の係止凹部に係合することを特徴とする締結部材。
【請求項４】
請求項１または請求項２に記載された締結部材において、前記第１締結体の前記一対の係止凹部は、前記第１軸部の内端部から離れた位置に設けられ、前記係合突起部は、その先端部が前記第２締結体の前記第２軸部の内端部から離れた状態で、前記一対の凸部が前記一対の係止凹部に係合することを特徴とする締結部材。
【請求項５】
請求項１〜請求項４のいずれかに記載された締結部材において、前記第１締結体の前記係合突起部の外周面には、前記第１締結体と前記第２締結体とを相対的に９０度回転させる際に、前記第２締結体の前記一対のフック部を前記筒状部材の外部に向けて押し出す押出突起部が設けられていることを特徴とする締結部材。
【請求項６】
請求項１〜請求項４のいずれかに記載された締結部材において、前記第２締結体を前記筒状部材の外部に向けて押し出す方向に付勢する付勢部材を備えていることを特徴とする締結部材。
【請求項７】
請求項１〜請求項６のいずれかに記載された締結部材を備えていることを特徴とするバンド取付構造。
【請求項８】
請求項７に記載されたバンド取付構造を備えていることを特徴とする腕時計。
【発明の詳細な説明】
【技術分野】
【０００１】
この発明は、バンドなどの部品を連結する際に用いられる締結部材、それを備えたバンド取付構造、およびそれを備えた腕時計に関する。
【背景技術】
【０００２】
例えば、時計バンドにおいては、特許文献１に記載されているように、中駒に外駒を連結部材で連結し、この外駒に他の中駒を連結部材で連結することにより、順次中駒と外駒とを連結するように構成されたものが知られている。
【先行技術文献】
【特許文献】
【０００３】
【特許文献１】実開平０４−９６２０９号公報
【０００４】
このような時計バンドに用いられている連結部材は、中駒と外駒とに連続して設けられた孔部にその一端部から挿入する第１ピン部材と、この孔部に他端部から挿入する第２ピン部材とを備えている。この場合、第１ピン部材の内端部には、割り溝が設けられた突起部が設けられている。第２ピン部材の内端部には、第１ピン部材の突起部が圧入する嵌合穴が設けられている。
【０００５】
これにより、この連結部材では、中駒と外駒とに連続して設けられた孔部にその一端部から第１ピン部材を挿入し、この孔部に他端部から第２ピン部材を挿入し、この第２ピン部材の嵌合穴に第１ピン部材の突起部を割り溝によって弾性変形させながら弾力的に圧入することにより、第１ピン部材と第２ピン部材とを孔部内で締結している。
【発明の概要】
【発明が解決しようとする課題】
【０００６】
しかしながら、このような時計バンドの連結部材では、第２ピン部材の嵌合穴に第１ピン部材の突起部を割り溝によって弾力的に圧入する構成であるから、振動などによる外部要因によって、第２ピン部材の嵌合穴に対する第１ピン部材の突起部の圧入に緩みが生じ、第１ピン部材と第２ピン部材との締結が外れてしまうという問題がある。
【０００７】
この発明が解決しようとする課題は、振動などの外部要因によって緩みが生じることなく、確実に締結状態を維持することができる締結部材、それを備えたバンド取付構造、およびそれを備えた腕時計を提供することである。
【課題を解決するための手段】
【０００８】
この発明は、筒状部材と、この筒状部材にその一端部から挿入する第１軸部の外端部に第１頭部が設けられ、前記第１軸部の内端部に係合突起部が設けられ、この係合突起部の外周面に一対の係止凹部が設けられた第１締結体と、前記筒状部材にその他端部から挿入する第２軸部の外端部に第２頭部が設けられ、前記第２軸部の内端部に一対のフック部が設けられ、これら一対のフック部の対向面に前記係合突起部の前記一対の係止凹部に係脱可能に係合する一対の凸部が設けられた第２締結体と、を備えていることを特徴とする締結部材である。
【発明の効果】
【０００９】
この発明によれば、第１締結体の一対の係止凹部に、第２締結体の一対の凸部を係合させることができるので、一定以上の荷重で第１締結体と第２締結体とを回転させない限り、第１締結体の一対の係止凹部から第２締結体の一対の凸部が外れることがない。このため、振動などの外部要因によって第１締結体と第２締結体との締結に緩みが生じることなく、確実にかつ良好に第１締結体と第２締結体との締結状態を維持することができる。
【図面の簡単な説明】
【００１０】
【図１】この発明を腕時計のバンド取付構造に適用した第１実施形態を示した要部の拡大斜視図である。
【図２】図１に示された腕時計のバンド取付構造において、要部を分解して示した斜視図である。
【図３】図２に示されたバンド取付構造の締結部材を分解して示した拡大斜視図である。
【図４】図３に示された締結部材の要部を示した拡大断面図である。
【図５】この発明を腕時計のバンド取付構造に適用した第２実施形態において、締結部材を分解して示した拡大斜視図である。
【図６】図５に示された締結部材の要部を示した拡大断面図である。
【図７】この発明を腕時計のバンド取付構造に適用した第３実施形態において、締結部材を分解して示した拡大斜視図である。
【図８】図７に示された締結部材の要部の断面を示し、（ａ）は図７のＡ−Ａ矢視における拡大断面図、（ｂ）図７のＢ−Ｂ矢視における拡大断面図である。
【図９】この発明を腕時計のバンド取付構造に適用した第４実施形態において、締結部材を分解して示した拡大斜視図である。
【図１０】図９に示された締結部材の要部を示した拡大断面図である。
【図１１】この発明を腕時計のバンド取付構造に適用した第４実施形態の変形例における締結部材を分解して示した拡大斜視図である。
【図１２】図１１に示された締結部材の要部を示した拡大断面図である。
【発明を実施するための形態】
【００１１】
（第１実施形態）
以下、図１〜図４を参照して、この発明を腕時計に適用した第１実施形態について説明する。
この腕時計は、図１および図２に示すように、腕時計ケース１を備えている。この腕時計ケース１の１２時側と６時側との側面には、バンド取付部２が設けられている。また、この腕時計ケース１の外周面には、複数の押釦スイッチ３が設けられている。
【００１２】
バンド取付部２は、図１および図２に示すように、腕時計ケース１に時計バンド４を取り付けるためのであり、一対の取付突起部５を備えている。これら一対の取付突起部５は、腕時計ケース１の側面から斜め下側に向けて突出して設けられている。また、これら一対の取付突起部５の各先端部には、各取付孔６が同一軸上に対応して設けられている。この取付孔６は、小径孔と大径孔とを有する段差状に形成されている。
【００１３】
時計バンド４は、図１および図２に示すように、ウレタン樹脂などの合成樹脂からなり、その一端部４ａがバンド取付部２に取り付けられるように構成されている。すなわち、この時計バンド４は、その長手方向と直交する幅方向の長さが、バンド取付部２の一対の取付突起部５間の長さとほぼ同じ長さで形成されている。また、この時計バンド４の一端部４ａは、バンド取付部２の一対の取付突起部５間に配置される部分である。
【００１４】
この時計バンド４の一端部４ａは、図１および図２に示すように、その突出長さが一対の取付突起部５の先端部から腕時計ケース１の側面までの長さとほぼ同じ長さに形成されている。また、この時計バンド４の一端部４ａは、その突出長さ方向と直交する幅方向の長さが、一対の取付突起部５間の長さよりも短く形成されている。これにより、時計バンド４の一端部４ａは、一対の取付突起部５間に配置された際に、一端部４ａの両側面と一対の取付突起部５の対向面との間にそれぞれ隙間が生じるように構成されている。
【００１５】
この場合、バンド取付部２には、図１および図２に示すように、一対の取付突起部５と時計バンド４との各裏面に配置される裏面カバー７が取り付けられている。この裏面カバー７は、ウレタン樹脂などの合成樹脂からなり、一対の取付突起部５と時計バンド４との各裏面に配置されるカバー本体７ａと、このカバー本体７ａに一体に形成されて時計バンド４の一端部４ａの両側面と一対の取付突起部５の対向面との間の隙間に配置される一対のカバー取付部７ｂとを備えている。
【００１６】
そして、時計バンド４は、図１および図２に示すように、その一端部４ａが裏面カバー７と共にバンド取付部２に締結部材８によって取り付けられるように構成されている。この場合、時計バンド４の一端部４ａには、バンド取付部２の各取付突起部５の各取付孔６と同一軸上で対応する取付孔９が設けられている。また、裏面カバー７の一対のカバー取付部７ｂには、時計バンド４の一端部４ａの取付孔９およびバンド取付部２の各取付孔６と同一軸上で対応する取付孔１０が設けられている。
【００１７】
締結部材８は、図１〜図４に示すように、ステンレスなどの金属で形成されたパイプ１１と、このパイプ１１内にその一端部（図２では左端部）から挿入する第１締結体１２と、パイプ１１内にその他端部（図２では右端部）から挿入する第２締結体１３と、を備えている。
【００１８】
パイプ１１は、図２〜図４に示すように、バンド取付部２の一対の取付突起部５、裏面カバー７の一対のカバー取付部７ｂ、および時計バンド４の一端部４ａにそれぞれ設けられて同一軸上に対応した各取付孔６、９、１０内に連続して挿入するように構成されている。この場合、パイプ１１は、取付突起部５の取付孔６の小径孔内に配置されるように構成されている。
【００１９】
第１締結体１２は、図２〜図４に示すように、パイプ１１にその一端部から挿入する第１軸部１２ａと、この第１軸部１２ａの外端部に設けられた第１頭部１２ｂと、第１軸部１２ａの内端部に設けられた係合突起部１２ｃとを有し、この係合突起部１２ｃの外周面に一対の係止凹部１４が設けられた構成になっている。
【００２０】
この場合、第１頭部１２ｂは、図２〜図４に示すように、その外径がパイプ１１の外径よりも大きく形成され、取付突起部５の取付孔６の大径孔内に配置されるように構成されている。また、係合突起部１２ｃの先端部（図４では右端部）には、第２締結体１３側に位置する先端が小径のテーパ部１５に形成されている。
【００２１】
また、一対の係止凹部１４は、図３および図４に示すように、係合突起部１２ｃの外周面に１８０度ずれた位置に互いに対応して形成されている。これら一対の係止凹部１４は、第１軸部１２ａ側が軸方向に沿って緩やかな傾斜面１４ａで、テーパ部１５側が軸方向に沿って急な傾斜面１４ｂに形成されている。また、これら一対の係止凹部１４は、係合突起部１２ｃの円周方向に開放された状態で形成されている。
【００２２】
第２締結体１３は、図２〜図４に示すように、パイプ１１にその他端部から挿入する第２軸部１３ａと、この第２軸部１３ａの外端部に設けられた第２頭部１３ｂと、第２軸部の内端部に設けられた一対のフック部１３ｃとを有し、これら一対のフック部１３ｃの対向面に第１締結体１２の一対の係止凹部１４に係脱可能に係合する一対の凸部１６が設けられた構成になっている。
【００２３】
この場合、第２頭部１３ｂは、図２〜図４に示すように、その外径がパイプ１１の外径よりも大きく形成され、取付突起部５の取付孔６の大径孔内に配置されるように構成されている。また、一対のフック部１３ｃは、第２軸部１３ａの内端部からその軸方向に沿って突出して形成されている。
【００２４】
これら一対のフック部１３ｃは、図３および図４に示すように、その対向する内径が第１締結体１２の係合突起部１２ｃの外径とほぼ同じ大きさに形成されている。一対の凸部１６は、第２軸部１３ａ側が軸方向に沿って急な傾斜面１６ａで、その反対側が軸方向に沿って緩やかな傾斜面１６ｂに形成されている。
【００２５】
これにより、締結部材８は、図３および図４に示すように、第１締結体１２の第１軸部１２ａがパイプ１１内にその一端部側から挿入され、第２締結体１３の第２軸部１３ａがパイプ１１内にその他端部側から挿入され、この状態で第２締結体１３の一対のフック部１３ｃ間に第１締結体１２の係合突起部１２ｃが押し込まれて、係合突起部１２ｃの一対の係止凹部１４に一対のフック部１３ｃの各凸部１６が係合することにより、第１締結体１２と第２締結体１３とが締結されるように構成されている。
【００２６】
すなわち、この締結部材８は、図３および図４に示すように、第１締結体１２における係合突起部１２ｃの各係止凹部１４に、第２締結体１３における一対のフック部１３ｃの各凸部１６が係合すると、第１締結体１２の係止凹部１４の急な傾斜面１４ｂに、第２締結体１３の凸部１６の急な傾斜面１６ａが当接し、これにより第１締結体１２と第２締結体１３とが互いに離脱することなく締結されるように構成されている。
【００２７】
また、この締結部材８は、図３および図４に示すように、第１締結体１２における係合突起部１２ｃの各係止凹部１４に、第２締結体１３における一対のフック部１３ｃの各凸部１６が係合した状態で、第１締結体１２と第２締結体１３とを一定以上の荷重で相対的に９０度回転させると、第２締結体１３における一対のフック部１３ｃの各凸部１６が、第１締結体１２における係合突起部１２ｃの各係止凹部１４から円周方向に移動して離脱し、第１締結体１２と第２締結体１３との締結が解除されるように構成されている。
【００２８】
この場合、第１締結体１２の第１頭部１２ｂと第２締結体１３の第２頭部１３ｂとには、図３および図４に示すように、第１締結体１２と第２締結体１３とを、ドライバーなどの工具（図示せず）で、相対的に回転させるための溝部１２ｄ、１３ｄがそれぞれ設けられている。
【００２９】
すなわち、第１頭部１２ｂの溝部１２ｄは、図３および図４に示すように、一対の係止凹部１４の中間部を横切って設けられている。これにより、第１頭部１２ｂの溝部１２ｄは、一対の係止凹部１４の位置を示すマークとしての機能を有している。また、第２頭部１３ｂの溝部１３ｄは、一対のフック部１３ｃの中間部を横切って設けられている。これにより、第２頭部１３ｂの溝部１３ｄは、一対のフック部１３ｃの位置を示すマークとしての機能を有している。
【００３０】
次に、このような腕時計のバンド取付構造の作用について説明する。
この腕時計に時計バンド４を取り付ける場合には、バンド取付部２の一対の取付突起部５間に、時計バンド４の一端部４ａを配置する。また、これら一対の取付突起部５および時計バンド４の一端部の裏面に裏面カバー７のカバー本体７ａを配置すると共に、この裏面カバー７の一対のカバー取付部７ｂを、時計バンド４の一端部４ａの両側面と一対の取付突起部５の対向面との間の隙間に配置する。
【００３１】
そして、バンド取付部２の一対の取付突起部５に設けられた各取付孔６と、裏面カバー７の一対のカバー取付部７ｂに設けられた各取付孔１０と、時計バンド４の一端部４ａに設けられた取付孔９と、を同一軸上に対応させて連続させる。この状態で、連続した各取付孔６、９、１０内に締結部材８のパイプ１１を挿入する。これにより、バンド取付部２の一対の取付突起部５に、裏面カバー７の一対のカバー取付部７ｂと時計バンド４の一端部４ａとが、パイプ１１によって連結される。
【００３２】
この状態で、パイプ１１内にその一端部から第１締結体１２の第１軸部１２ａを挿入すると共に、パイプ１１内にその他端部から第２締結体１３の第２軸部１３ａを挿入し、第１頭部１２ｂと第２頭部１３ｂとを一対の取付突起部５における各取付孔６の各大径孔内にそれぞれ配置する。この状態で、第２締結体１３の一対のフック部１３ｃ間に、第１締結体１２の係合突起部１２ｃを押し込んで、係合突起部１２ｃの一対の係止凹部１４に一対のフック部１３ｃの各凸部１６を係合させる。
【００３３】
このときには、第１締結体１２の第１頭部１２ｂに設けられた溝部１２ｄと、第２締結体１３の第１頭部１３ｂに設けられた溝部１３ｄと、を一致させると、第１締結体１２の一対の係止凹部１４と第２締結体１３の一対のフック部１３ｃとが軸方向に沿って対応する。この状態で、第１頭部１２ｂと第２頭部１３ｂとを互いに押圧すると、第２締結体１３の一対のフック部１３ｃが、第１締結体１２の係合突起部１２ｃのテーパ部１５に沿って徐々に押し広げられる。
【００３４】
このように、押し広げられた一対のフック部１３ｃの各凸部１６は、係合突起部１２ｃの外周面を乗り越えて係合突起部１２ｃの一対の係止凹部１４に係合する。このときには、第１締結体１２の係止凹部１４の急な傾斜面１４ｂに、第２締結体１３の凸部１６の急な傾斜面１６ａが当接すると共に、係止凹部１４の緩やかな傾斜面１４ａに、凸部１６の緩やかな傾斜面１６ｂが当接する。
【００３５】
また、このときには、第２締結体１３の一対のフック部１３ｃの各先端が第１締結体１２の第１軸部１２ａの内端面に接近すると共に、第１締結体１２の係合突起部１２ｃの先端部が第２締結体１３の第２軸部１３ａの内端面に接近する。このため、第１締結体１２と第２締結体１３とは、軸方向に移動することがない。
【００３６】
これにより、第１締結体１２と第２締結体１３とが互いに締結され、パイプ１１がバンド取付部２の一対の取付突起部５、裏面カバー７の一対のカバー取付部７ｂ、および時計バンド４の一端部４ａに固定される。この状態では、第１締結体１２と第２締結体１３とを一定以上の荷重で回転させない限り、一対のフック部１３ｃの各凸部１６と係合突起部１２ｃの一対の係止凹部１４との係合が外れることがない。
【００３７】
また、時計バンド４を取り外して交換する場合には、まず、第１締結体１２と第２締結体１３との締結を解除する。このときには、第１頭部１２ｂの溝部１２ｄと第２頭部１３ｂの溝部１３ｄとにドライバーなどの工具を差し込み、この状態で第１頭部１２ｂと第２頭部１３ｂとを一定以上の荷重で相対的に９０度回転させる。
【００３８】
すると、第２締結体１３における一対のフック部１３ｃの各凸部１６が、第１締結体１２における係合突起部１２ｃの各係止凹部１４から円周方向に回転移動して離脱し、第１締結体１２と第２締結体１３との締結が解除される。
【００３９】
この状態で、第１締結体１２と第２締結体１３とをパイプ１１内から抜き出し、パイプ１１をバンド取付部２の一対の取付突起部５に設けられた各取付孔６と、裏面カバー７の一対のカバー取付部７ｂに設けられた各取付孔１０と、時計バンド４の一端部４ａに設けられた取付孔９とから取り出す。これにより、時計バンド４をバンド取付部２から取り外して新たな時計バンド４と交換することができる。
【００４０】
このように、この腕時計のバンド取付構造に用いられている締結部材８によれば、パイプ１１と、このパイプ１１にその一端部から挿入する第１軸部１２ａの外端部に第１頭部１２ｂが設けられ、第１軸部１２ａの内端部に係合突起部１２ｃが設けられ、この係合突起部１２ｃの外周面に一対の係止凹部１４が設けられた第１締結体１２と、パイプ１１にその他端部から挿入する第２軸部１３ａの外端部に第２頭部１３ｂが設けられ、第２軸部１３ａの内端部に一対のフック部１３ｃが設けられ、これら一対のフック部１３ｃの対向面に一対の係止凹部１４に係脱可能に係合する一対の凸部１６が設けられた第２締結体１３と、を備えているので、振動などの外部要因によって緩みが生じることなく、確実に締結状態を維持することができる。
【００４１】
すなわち、この締結部材８では、第１締結体１２の係合突起部１２ｃに設けられた一対の係止凹部１４に、第２締結体１３の一対のフック部１３ｃに設けられた一対の凸部１６を係合させることができるので、一定以上の荷重で第１締結体１２と第２締結体１３とを回転させない限り、第１締結体１２の一対の係止凹部１４から第２締結体１３の一対の凸部１６が外れることがない。このため、振動などの外部要因によって第１締結体１２と第２締結体１３との締結に緩みが生じることがなく、確実にかつ良好に第１締結体１２と第２締結体１３との締結状態を維持することができる。
【００４２】
この場合、第１締結体１２の一対の係止凹部１４は、第１軸部１２ａ側が軸方向に沿って緩やかな傾斜面１４ａで、係合突起部１２ｃの先端側が軸方向に沿って急な傾斜面１４ｂに形成され、かつ係合突起部１２ｃの円周方向に開放された状態で形成されており、第２締結体１３の一対の凸部１６は、第２軸部１３ａ側が軸方向に沿って急な傾斜面１６ａで、その反対側が軸方向に沿って緩やかな傾斜面１６ｂに形成されていることにより、一対の係止凹部１４に一対の凸部１６が係合した際に、第１締結体１２と第２締結体１３とが互いに離れる方向に移動するのを確実に阻止することができる。
【００４３】
すなわち、この締結部材８では、第１締結体１２の一対の係止凹部１４に第２締結体１３の一対の凸部１６が係合した際に、係止凹部１４の急な傾斜面１４ａと凸部１６の急な傾斜面１６ａとが当接するので、第１締結体１２と第２締結体１３とが互いに離れる方向に移動するのを確実に阻止することができ、この状態で第１締結体１２と第２締結体１３とを相対的に回転させると、凸部１６が係止凹部１４から円周方向に移動して離脱させることができる。
【００４４】
また、この締結部材８では、第１締結体１２の一対の係止凹部１４が、第１軸部１２ａの内端部に接近して設けられ、係合突起部１２ｃは、その先端部が第２締結体１３の第２軸部１３ａの内端部に接近した状態で、一対の凸部１６が一対の係止凹部１４に係合することにより、第１締結体１２と第２締結体１３とを互いにパイプ１１内に押し込むだけで、簡単に一対の凸部１６を一対の係止凹部１４に係合させて第１締結体１２と第２締結体１３とを締結させることができる。
【００４５】
このため、この締結部材８では、第１締結体１２と第２締結体１３とが締結されている状態で、第１締結体１２と第２締結体１３とが互いに押されても、第２締結体１３の一対のフック部１３ｃの各先端が第１締結体１２の第１軸部１２ａの内端面に当接すると共に、第１締結体１２の係合突起部１２ｃの先端部が第２締結体１３の第２軸部１３ａに当接するので、一対の凸部１６と一対の係止凹部１４との係合が解除されることがなく、確実に締結状態を維持することができる。
【００４６】
また、この締結部材８では、第１締結体１２と第２締結体１３とが締結されている状態で、第１締結体１２と第２締結体１３とを一定状の荷重で相対的に９０度回転させるだけで、容易に一対の凸部１６を一対の係止凹部１４から円周方向に移動させて離脱させることができるので、第１締結体１２と第２締結体１３との締結を簡単に解除することができ、これにより第１締結体１２と第２締結体１３とをパイプ１１内から容易に取り出すことができる。
【００４７】
また、この締結部材８を用いたバンド取付構造では、バンド取付部２の一対の取付突起部５の各取付孔６と、裏面カバー７のカバー取付部７ｂの各取付孔１０と、時計バンド４の一端部４ａの取付孔９と、を同一軸上に連続させ、この状態で各取付孔６、９、１０内に締結部材８のパイプ１１を挿入し、このパイプ１１内に第１締結体１２と第２締結体１３とを挿入させて締結することにより、バンド取付部２の一対の取付突起部５に裏面カバー７の一対のカバー取付部７ｂと時計バンド４の一端部４ａとを連結させた状態で確実に取り付けることができる。
【００４８】
（第２実施形態）
次に、図５および図６を参照して、この発明を腕時計のバンド取付構造に適用した第２実施形態について説明する。なお、図１〜図４に示された第１実施形態と同一部分には同一符号を付して説明する。
この腕時計のバンド取付構造は、図５および図６に示すように、締結部材２０が第１実施形態と異なる構成であり、これ以外は第１実施形態とほぼ同じ構成になっている。
【００４９】
すなわち、この締結部材２０は、図５および図６に示すように、第１締結体１２の係合突起部２１と、この係合突起部２１の一対の係止凹部２２とが第１実施形態と異なる構成になっている。この場合、第１締結体１２の一対の係止凹部２２は、係合突起部２１の外周面に、第１軸部１２ａの内端部から離れた位置に設けられている。
【００５０】
これら一対の係止凹部２２は、図５および図６に示すように、第１実施形態と同様に、係合突起部２１の外周面に１８０度ずれた位置に形成されている。また、これら一対の係止凹部２２も、第１軸部１２ａ側が軸方向に沿って緩やかな傾斜面２２ａで、テーパ部１５側が軸方向に沿って急な傾斜面２２ｂに形成されている。
【００５１】
一方、第１締結体１２の係合突起部２１は、図５および図６に示すように、その先端のテーパ部１５の先端面が第２締結体１３の第２軸部１３ａの内端部から離れた状態で、一対の係止凹部２２に一対の凸部１６が係合するように構成されている。すなわち、この係合突起部２１は、その軸方向の長さが第１実施形態の係合突起部１２ｃとほぼ同じ長さで形成されているが、一対の係止凹部２２がテーパ部１５側に接近した位置に設けられた構成になっている。
【００５２】
このため、係合突起部２１は、図５および図６に示すように、一対の係止凹部２２に第２締結体１３の一対の凸部１６が係合した際に、テーパ部１５の先端面が第２締結体１３の第２軸部１３ａの内端部から離れた位置に配置されるように構成されている。これにより、係合突起部２１は、一対の係止凹部２２に一対の凸部１６が係合した状態で、第２締結体１３の第２軸部１３ａが第１締結体１２の第１軸部１２ａに向けて相対的に押し込まれると、第２締結体１３の一対のフック部１３ｃを押し広げながら第２軸部１３ａの内端面に向けて移動するように構成されている。
【００５３】
これにより、この締結部材２０は、図５および図６に示すように、第１締結体１２と第２締結体１３との締結を解除する際に、第２締結体１３の第２軸部１３ａを第１締結体１２の第１軸部１２ａに向けて相対的に押し込むと、係合突起部２１が一対のフック部１３ｃを押し広げながら第２軸部１３ａの内端面に向けて移動し、一対の凸部１６を一対の係止凹部２２から軸方向に移動させて離脱させるように構成されている。
【００５４】
また、この締結部材２０は、図５および図６に示すように、係合突起部２１が一対のフック部１３ｃを押し広げながら第２軸部１３ａの内端面に向けて移動する際に、係止凹部２２の緩やかな傾斜面２２ａと凸部１６の緩やかな傾斜面１６ｂとが相対的に軸方向に沿ってスライドして、一対の凸部１６と一対の係止凹部２２との係合が外れ、この状態で第１締結体１２と第２締結体１３とを相対的に９０度回転させると、一対の凸部１６と一対の係止凹部２２とが円周方向に移動して位置がずれ、第１締結体１２と第２締結体１３とがパイプ１１内から抜き出せるように構成されている。
【００５５】
この場合、パイプ１１は、図６に示すように、第１締結体１２の一対の係止凹部２２に第２締結体１３の一対の凸部１６が係合した状態において、第１頭部１２ｂと第２頭部１３ｂとの間の長さよりも、第１締結体１２の第１軸部１２ａの内端面と第２締結体１３の一対のフック部１３ｃの各先端部との間の長さだけ、短く形成されている。これにより、パイプ１１は、第２締結体１３の第２軸部１３ａを第１締結体１２の第１軸部１２ａに向けて押し込んだ際に、一対の凸部１６が一対の係止凹部２２から軸方向に移動するように構成されている。
【００５６】
次に、このような腕時計のバンド取付構造の作用について説明する。
この腕時計に時計バンド４を取り付ける場合には、第１実施形態と同様、バンド取付部２の一対の取付突起部５間に、時計バンド４の一端部４ａと裏面カバー７の一対のカバー取付部７ｂとを配置し、バンド取付部２の一対の取付突起部５に設けられた各取付孔６と、裏面カバー７の一対のカバー取付部７ｂに設けられた各取付孔１０と、時計バンド４の一端部４ａに設けられた取付孔９と、を同一軸上に対応させて連続させる。
【００５７】
この状態で、連続した各取付孔６、９、１０内に締結部材８のパイプ１１を挿入して、バンド取付部２の一対の取付突起部５に裏面カバー７の一対のカバー取付部７ｂと時計バンド４の一端部４ａとをパイプ１１によって連結する。そして、パイプ１１内にその一端部から第１締結体１２の第１軸部１２ａを挿入すると共に、パイプ１１内にその他端部から第２締結体１３の第２軸部１３ａを挿入し、第１頭部１２ｂと第２頭部１３ｂとを一対の取付突起部５における各取付孔６の各大径孔内にそれぞれ配置する。
【００５８】
そして、第２締結体１３の一対のフック部１３ｃ間に第１締結体１２の係合突起部２１を押し込んで、係合突起部２１の一対の係止凹部２２に一対のフック部１３ｃの各凸部１６を係合させる。このときには、係合突起部２１の内端面、つまりテーパ部１５の先端面が第２締結体１３の第２軸部１３ａの内端部から離れた状態で、一対の係止凹部２２に一対のフック部１３ｃの各凸部１６が係合する。
【００５９】
この状態では、第１実施形態と同様、第１締結体１２の係止凹部２２の急な傾斜面２２ｂに、第２締結体１３の凸部１６の急な傾斜面１６ａが当接することにより、第１締結体１２と第２締結体１３とが互いに締結される。このため、パイプ１１がバンド取付部２の一対の取付突起部５、裏面カバー７の一対のカバー取付部７ｂ、および時計バンド４の一端部４ａに固定される。このときには、第１締結体１２と第２締結体１３とを一定以上の荷重で回転させない限り、一対のフック部１３ｃの各凸部１６と係合突起部１２ｃの一対の係止凹部２２との係合が外れることがない。
【００６０】
また、時計バンド４を取り外して交換する場合には、まず、第１締結体１２と第２締結体１３との締結を解除する。このときには、第１頭部１２ｂの溝部１２ｄと第２頭部１３ｂの溝部１３ｄとにドライバーなどの工具を差し込み、この状態で第１頭部１２ｂと第２頭部１３ｂとを互いに押し込む。すると、係合突起部２１が一対のフック部１３ｃを押し広げながら第２軸部１３ａの内端面に向けて移動し、一対の凸部１６が一対の係止凹部２２から軸方向に移動して離脱する。
【００６１】
この状態で、第１頭部１２ｂと第２頭部１３ｂとを相対的に９０度回転させると、第２締結体１３における一対のフック部１３ｃの各凸部１６が、係合突起部２１の円周方向に沿って回転移動し、一対のフック部１３ｃの各凸部１６が、係合突起部２１の各係止凹部２２に対して９０度ずれた位置に回転移動する。このため、第１締結体１２と第２締結体１３とをパイプ１１内から抜き出すことが可能になる。
【００６２】
これにより、第１締結体１２と第２締結体１３とをパイプ１１内から抜き出し、パイプ１１をバンド取付部２の一対の取付突起部５に設けられた各取付孔６と、裏面カバー７の一対のカバー取付部７ｂに設けられた各取付孔１０と、時計バンド４の一端部４ａに設けられた取付孔９とから取り出す。これにより、時計バンド４をバンド取付部２から取り外して新たな時計バンド４と交換することができる。
【００６３】
このように、この腕時計のバンド取付構造に用いられている締結部材２０によれば、第１締結体１２の係合突起部２１に設けられた一対の係止凹部２２に、第２締結体１３の一対のフック部１３ｃに設けられた一対の凸部１６を係合させることができるので、一定状の荷重で第１締結体１２と第２締結体１３とが回転しない限り、第１締結体１２の一対の係止凹部２２から第２締結体１３の一対の凸部１６が外れることがない。このため、第１実施形態と同様、振動などの外部要因によって第１締結体１２と第２締結体１３との締結に緩みが生じることなく、確実にかつ良好に第１締結体１２と第２締結体１３との締結状態を維持することができる。
【００６４】
この場合、第１締結体１２の一対の係止凹部２２は、第１軸部１２ａの内端部から離れた位置に設けられ、係合突起部２１は、その先端部が第２締結体１３の第２軸部１３ａの内端部から離れた状態で、一対の凸部１６が一対の係止凹部２２に係合することにより、第１実施形態と同様、第１締結体１２と第２締結体１３とを互いにパイプ１１内に押し込むだけで、簡単に一対の凸部１６を一対の係止凹部２２に係合させて第１締結体１２と第２締結体１３とを確実に締結させることができる。
【００６５】
また、この締結部材２０では、第１締結体１２と第２締結体１３とが締結されている状態で、第１締結体１２と第２締結体１３とを更に互いに押し込むと、係合突起部２１と一対のフック部１３ｃとが互いに食い込む方向に移動して、一対の凸部１６を一対の係止凹部２２から軸方向に移動させて容易に離脱させることができ、この状態で第１締結体１２と第２締結体１３とを相対的に９０度回転させるだけで、一対の凸部１６と一対の係止凹部２２との円周方向の位置を簡単にずらすことができ、これにより第１締結体１２と第２締結体１３とをパイプ１１内から容易に取り出すことができる。
【００６６】
また、この締結部材２０を用いたバンド取付構造においても、第１実施形態と同様、バンド取付部２の一対の取付突起部５の各取付孔６と、裏面カバー７のカバー取付部７ｂの各取付孔１０と、時計バンド４の一端部４ａの取付孔９と、を同一軸上に連続させ、この状態で各取付孔６、９、１０内に締結部材８のパイプ１１を挿入し、このパイプ１１内に第１締結体１２と第２締結体１３とを挿入させて締結することにより、バンド取付部２の一対の取付突起部５に裏面カバー７の一対のカバー取付部７ｂと時計バンド４の一端部４ａとを連結させた状態で確実に取り付けることができる。
【００６７】
（第３実施形態）
次に、図７および図８を参照して、この発明を腕時計のバンド取付構造に適用した第３実施形態について説明する。この場合にも、図１〜図４に示された第１実施形態と同一部分には同一符号を付して説明する。
この腕時計のバンド取付構造は、図７および図８に示すように、締結部材３０が第１実施形態と異なる構成であり、これ以外は第１実施形態とほぼ同じ構成になっている。
【００６８】
すなわち、この締結部材３０は、図７および図８に示すように、第１締結体１２の係合突起部１２ｃの外周面に、一対のフック部１３ｃをパイプ１１の外部に向けて押し出す一対の押出突起部３１を設けた構成になっている。これら一対の押出突起部３１は、一対の係止凹部１４の間にそれぞれ９０度ずれて設けられている。また、この押出突起部３１は、係止凹部１４の緩やかな傾斜面１４ａから円周方向に連続して徐々に立ち上がり、かつ係合突起部１２ｃのテーパ部１５側に向けて競り出す傾斜部に形成されている。
【００６９】
これにより、一対の押出突起部３１は、図７および図８に示すように、第２締結体１３の一対の凸部１６が第１締結体１２の一対の係止凹部２２に係合した状態で、第１締結体１２と第２締結体１３とが相対的に９０度回転して、一対の凸部１６が一対の係止凹部２２から円周方向に移動して離脱する際に、一対の凸部１６の緩やかな傾斜面１６ｂを係合突起部１２ｃのテーパ部１５側に向けて徐々に移動させながら、第２締結体１３の一対のフック部１３ｃをパイプ１１の外部に向けて押し出すように構成されている。
【００７０】
このような腕時計のバンド取付構造に用いられている締結部材３０によれば、第１実施形態と同様の作用効果あるほか、第１締結体１２の係合突起部１２ｃの外周面に、第１締結体１２と第２締結体１３とが相対的に９０度回転する際に、第２締結体１３の一対のフック部１３ｃをパイプ１１の外部に向けて押し出す押出突起部３１が設けられているので、第１締結体１２と第２締結体１３とを一定以上の荷重で相対的に９０度回転させるだけで、一対の凸部１６を一対の係止凹部１４から円周方向に移動させて離脱させながら、押出突起部３１によってパイプ１１の外部に向けて押し出すことができる。
【００７１】
すなわち、この締結部材３０では、第１締結体１２と第２締結体１３とが締結されている状態で、第１締結体１２と第２締結体１３とが相対的に９０度回転する際に、一対の凸部１６が一対の係止凹部２２から円周方向に移動して離脱しながら、押出突起部３１の傾斜部に沿って一対の凸部１６の緩やかな傾斜面１６ｂを係合突起部１２ｃのテーパ部１５側に向けて徐々に移動させることができるので、第２締結体１３の一対のフック部１３ｃをパイプ１１の外部に向けて押し出すことができ、これにより第１締結体１２と第２締結体１３とをパイプ１１内から容易に取り出すことができる。
【００７２】
（第４実施形態）
次に、図９および図１０を参照して、この発明を腕時計のバンド取付構造に適用した第４実施形態について説明する。この場合にも、図１〜図４に示された第１実施形態と同一部分に同一符号を付して説明する。
この腕時計のバンド取付構造は、図９および図１０に示すように、締結部材４０が第１実施形態と異なる構成であり、これ以外は第２実施形態とほぼ同じ構成になっている。
【００７３】
すなわち、この締結部材４０は、図９および図１０に示すように、第１締結体１２の係合突起部１２ｃの外周にコイルばね４１を設けた構成になっている。このコイルばね４１は、一端部が第１締結体１２の第１軸部１２ａの内端面に弾接し、他端部が第２締結体１３の一対のフック部１３ｃの各先端部に弾接することにより、第１締結体１２と第２締結体１３とをパイプ１１内から外部に向けて押し出すように構成されている。
【００７４】
これにより、この締結部材４０は、図９および図１０に示すように、第２締結体１３の一対の凸部１６が第１締結体１２の一対の係止凹部２２に係合した際に、コイルばね４１が第１締結体１２の第１軸部１２ａの内端面と第２締結体１３の一対のフック部１３ｃの各先端部とで圧縮され、この圧縮されたコイルばね４１の反発力によって第１締結体１２と第２締結体１３とがパイプ１１内から外部に向けて押し出される方向に付勢されるように構成されている。
【００７５】
また、この締結部材４０は、図９および図１０に示すように、第２締結体１３の一対の凸部１６が第１締結体１２の一対の係止凹部１４に係合した状態で、第１締結体１２と第２締結体１３とが一定以上の荷重で相対的に９０度回転して、一対の凸部１６が一対の係止凹部１４から円周方向に移動して離脱すると、コイルばね４１のばね力によって第１締結体１２と第２締結体１３とがパイプ１１内から外部に押し出されるように構成されている。
【００７６】
このような腕時計のバンド取付構造に用いられている締結部材４０によれば、第１実施形態と同様の作用効果あるほか、第２締結体１３の一対のフック部１３ｃをパイプ１１の外部に向けて押し出す方向に付勢するコイルばね４１を備えているので、一対の凸部１６が一対の係止凹部１４に係合している状態で、第１締結体１２と第２締結体１３とを一定以上の荷重で相対的に９０度回転させて、一対の凸部１６を一対の係止凹部１４から円周方向に移動させて離脱させた際に、コイルばね４１のばね力によって第１締結体１２と第２締結体１３とを自動的にパイプ１１の外部に向けて押し出すことができ、これにより第１締結体１２と第２締結体１３とをパイプ１１内から容易に取り出すことができる。
【００７７】
なお、上述した第４実施形態では、コイルばね４１を、第１締結体１２の第１軸部１２ａの内端面と、第２締結体１３の一対のフック部１３ｃの各先端部との間に、配置した場合について述べたが、これに限らず、例えば図１１および図１２に示す変形例のように、コイルばね４５を第１締結体１２の第１軸部１２ａと、第２締結体１３の第２頭部１３ｂとの間に、配置した構成であっても良い。
【００７８】
このような変形例においても、第４実施形態と同様、一対の凸部１６が一対の係止凹部１４に係合している状態で、第１締結体１２と第２締結体１３とを一定以上の荷重で相対的に９０度回転させ、一対の凸部１６を一対の係止凹部１４から円周方向に移動させて離脱させた際に、コイルばね４５のばね力によって第１締結体１２と第２締結体１３とを自動的にパイプ１１の外部に向けて押し出すことができる。
【００７９】
また、上述した第１〜第４の各実施形態およびその変形例では、腕時計のバンド取付構造に適用した場合について述べたが、これに限らず、バンド駒同士を順次連結するバンドにも適用することができる。
【００８０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８１】
（付記）
請求項１に記載の発明は、筒状部材と、この筒状部材にその一端部から挿入する第１軸部の外端部に第１頭部が設けられ、前記第１軸部の内端部に係合突起部が設けられ、この係合突起部の外周面に一対の係止凹部が設けられた第１締結体と、前記筒状部材にその他端部から挿入する第２軸部の外端部に第２頭部が設けられ、前記第２軸部の内端部に一対のフック部が設けられ、これら一対のフック部の対向面に前記係合突起部の前記一対の係止凹部に係脱可能に係合する一対の凸部が設けられた第２締結体と、を備えていることを特徴とする締結部材である。
【００８２】
請求項２に記載の発明は、請求項１に記載された締結部材において、前記第１締結体の前記一対の係止凹部は、前記係合突起部の軸方向に対して交差する一対の傾斜面が対向し、これら一対の傾斜面間が前記係合突起部の円周方向に開放された状態で形成されており、前記第２締結体の前記一対の凸部は、前記フック部の軸方向に対して交差する一対の傾斜面が立ち上がった状態で形成されていることを特徴とする締結部材である。
【００８３】
請求項３に記載の発明は、請求項１または請求項２に記載された締結部材において、前記第１締結体の前記一対の係止凹部は、前記第１軸部の内端部に接近して設けられ、前記係合突起部は、その先端部が前記第２締結体の前記第２軸部の内端部に接近した状態で、前記一対の凸部が前記一対の係止凹部に係合することを特徴とする締結部材である。
【００８４】
請求項４に記載の発明は、請求項１または請求項２に記載された締結部材において、前記第１締結体の前記一対の係止凹部は、前記第１軸部の内端部から離れた位置に設けられ、前記係合突起部は、その先端部が前記第２締結体の前記第２軸部の内端部から離れた状態で、前記一対の凸部が前記一対の係止凹部に係合することを特徴とする締結部材である。
【００８５】
請求項５に記載の発明は、請求項１〜請求項４のいずれかに記載された締結部材において、前記第１締結体の前記係合突起部の外周面には、前記第１締結体と前記第２締結体とを相対的に９０度回転させる際に、前記第２締結体の前記一対のフック部を前記筒状部材の外部に向けて押し出す押出突起部が設けられていることを特徴とする締結部材である。
【００８６】
請求項６に記載の発明は、請求項１〜請求項４のいずれかに記載された締結部材において、前記第２締結体を前記筒状部材の外部に向けて押し出す方向に付勢する付勢部材を備えていることを特徴とする締結部材である。
【００８７】
請求項７に記載の発明は、請求項１〜請求項６のいずれかに記載された締結部材を備えていることを特徴とするバンド取付構造である。
【００８８】
請求項８に記載の発明は、請求項７に記載されたバンド取付構造を備えていることを特徴とする腕時計である。
【符号の説明】
【００８９】
１  腕時計ケース
２  バンド取付部
４  時計バンド
４ａ  一端部
５  取付突起部
８、２０、３０、４０  締結部材
１１  パイプ
１２  第１締結体
１２ａ  第１軸部
１２ｂ  第１頭部
１２ｃ、２１  係合突起部
１３  第２締結体
１３ａ  第２軸部
１３ｂ  第２頭部
１３ｃ  フック部
１４、２２  係止凹部
１４ａ、２２ａ  緩やかな傾斜面
１４ｂ、２２ｂ  急な傾斜面
１６  凸部
１６ａ  急な傾斜面
１６ｂ  緩やかな傾斜面
３１  押出突起部
４１、４５  コイルばね
【図１】
2015058252.tif 000003
【図２】
2015058252.tif 000004
【図３】
2015058252.tif 000005
【図４】
2015058252.tif 000006
【図５】
2015058252.tif 000007
【図６】
2015058252.tif 000008
【図７】
2015058252.tif 000009
【図８】
2015058252.tif 000010
【図９】
2015058252.tif 000011
【図１０】
2015058252.tif 000012
【図１１】
2015058252.tif 000013
【図１２】
2015058252.tif 000014